(57)【特許請求の範囲】
【請求項１】
転写フィルムを介して加熱部材と転写プラテンとを圧接して前記転写フィルムに形成された画像を記録媒体に転写する転写装置において、
前記加熱部材と前記転写プラテンとを有し、前記加熱部材と前記転写プラテンとが所定のニップ圧で圧接した作動位置と、前記加熱部材と前記転写プラテンとが離間した退避位置との間で移動可能に構成された画像転写部と、
前記画像転写部の画像転写時における前記転写フィルム搬送方向下流側に設けられ、前記記録媒体から前記転写フィルムを剥離する剥離部材と、
前記画像転写部に対して、前記画像転写部による画像転写時における記録媒体搬送方向下流側に設けられ、前記所定のニップ圧よりも弱いニップ圧で前記記録媒体を狭持して搬送する記録媒体搬送手段と、
前記記録媒体搬送手段の移動量に基づいて前記記録媒体の搬送量を算出する記録媒体搬送量算出手段と、
画像転写時における前記剥離部材よりも前記転写フィルム搬送方向下流側で前記転写フィルムを搬送する転写フィルム搬送手段と、
前記転写フィルム搬送手段の移動量に基づいて前記転写フィルムの搬送量を算出する転写フィルム搬送量算出手段と、
前記記録媒体搬送手段、前記記録媒体搬送量算出手段、前記転写フィルム搬送手段、および前記転写フィルム搬送量算出手段を制御する制御手段と、を備え、
前記制御手段は、前記画像転写部による転写処理が開始されてから終了するまでの間に、前記記録媒体の搬送量のカウントを、前記記録媒体搬送量算出手段に基づいたカウントから前記転写フィルム搬送量算出手段に基づいたカウントに切り替えることを特徴とする転写装置。
【請求項２】
前記制御手段は、前記画像転写部による転写処理が開始されてから記録媒体後端が前記加熱部材を通過する前の前記記録媒体が所定量搬送される間は、前記記録媒体搬送量算出手段に基づいて前記記録媒体の搬送量をカウントし、
その後、前記転写フィルム搬送量算出手段に基づいて前記記録媒体の搬送量をカウントすることを特徴とする請求項１に記載の転写装置。
【請求項３】
前記制御手段は、前記記録媒体後端が前記加熱部材を通過してから前記剥離部材を通過するまでの間は、前記転写フィルム搬送量算出手段に基づいて前記記録媒体の搬送量をカウントすることを特徴とする請求項１または請求項２に記載の転写装置。
【発明の詳細な説明】
【技術分野】
【０００１】
本発明はカードなどの記録媒体に転写フィルム上の画像を転写する転写装置に関する。
【背景技術】
【０００２】
一般にこの種の装置は、プラスチックカードなどの媒体上に顔写真、文字情報などの画像を形成する装置として広く知られている。この場合、記録媒体に直接画像を形成する装置構成と、転写フィルムに画像を形成し、この画像を記録媒体に転写する装置構成が知られている。
【０００３】
このようなカードに転写保護膜リボン（フィルム）を転写するカード作成装置では、インクリボンを介してサーマルヘッドで転写フィルムに画像を形成（１次転写）し、次いで転写ローラを用いて転写フィルムに形成された画像をカード等の記録媒体に転写（２次転写）する間接転写方式の構成が知られている（例えば、特許文献１）。また、１次転写を行わずに、既に転写フィルムに形成されている画像を、転写ローラを用いて記録媒体に転写するラミネータ装置等の構成も知られている。
【０００４】
特許文献１の構成では、２次転写部（転写ローラによる転写部）の下流側はカードの反りを矯正するデカール部となっており、転写ローラの下流側の搬送ローラ対のカードに対するニップ圧が転写ローラとプラテンとによるニップ圧に比べて弱く設定されている。
【先行技術文献】
【特許文献】
【０００５】
【特許文献１】特開２０１４−１６２０７２号公報
【発明の概要】
【発明が解決しようとする課題】
【０００６】
特許文献１のような、転写ローラの下流側がデカール部となっている構成に限らず、転写ローラ下流側の搬送ローラ対のニップ圧が転写ローラとプラテンとによるニップ圧よりも弱い構成では、カード後端が転写ローラを通過した後にニップ圧の弱い搬送ローラ対でのみカードが搬送されるため、搬送ローラ対とカードとの間でスリップが起こる可能性がある。
【０００７】
この時、カード後端が転写フィルムとの剥離を完了する剥離終了位置までのカード搬送量の管理は、カード搬送ローラを回転させているステッピングモータのステップ数をカウントしていると、カード終端が剥離しきれていない状態で動作を終了し、その後のカード搬送で搬送不良を起こしたり、フィルムと剥離できた場合でもカード終端にダメージ（転写不良、フラッシング）を与えたりする可能性がある。また、上記の通り、カード後端が転写ローラを通過後、カードの搬送速度が遅くなることで剥離時のカードと転写フィルムの接着温度が目論見よりも低下してしまうことで、剥離不良を起こしてしまう可能性がある。
【課題を解決するための手段】
【０００８】
上記課題を達成するため本発明は、転写フィルムを介して加熱部材と転写プラテンとを圧接して前記転写フィルムに形成された画像を記録媒体に転写する転写装置において、加熱部材と前記転写プラテンとを有し、加熱部材と転写プラテンとが所定のニップ圧で圧接した作動位置と、加熱部材と転写プラテンとが離間した退避位置との間で移動可能に構成された画像転写部と、画像転写部の画像転写時における転写フィルム搬送方向下流側に設けられ、記録媒体から転写フィルムを剥離する剥離部材と、画像転写部に対して、画像転写部による画像転写時における記録媒体搬送方向下流側に設けられ、所定のニップ圧よりも弱いニップ圧で記録媒体を狭持して搬送する記録媒体搬送手段と、記録媒体搬送手段の移動量に基づいて記録媒体の搬送量を算出する記録媒体搬送量算出手段と、画像転写時における剥離部材よりも転写フィルム搬送方向下流側で転写フィルムを搬送する転写フィルム搬送手段と、転写フィルム搬送手段の移動量に基づいて転写フィルムの搬送量を算出する転写フィルム搬送量算出手段と、記録媒体搬送手段、記録媒体搬送量算出手段、転写フィルム搬送手段、および転写フィルム搬送量算出手段を制御する制御手段と、を備え、制御手段は、画像転写部による転写処理が開始されてから終了するまでの間に、記録媒体の搬送量のカウントを、記録媒体搬送量算出手段に基づいたカウントから転写フィルム搬送量算出手段に基づいたカウントに切り替えることを特徴とする。
【発明の効果】
【０００９】
本発明は、転写処理を開始してから所定量カードを搬送するまでは、カードを搬送するためのカード搬送手段の駆動量からカード搬送量を管理し、その後、カード後端が剥離部材を通過するまでは、転写フィルムを搬送するための転写フィルム搬送手段の駆動量からカード搬送量を管理することにより、転写処理が終了するまでのカード搬送量と目論見のカード搬送量とのずれを軽減でき、転写処理終了後のカード搬送不良やカード後端部の剥離不良を軽減することができる。
【図面の簡単な説明】
【００１０】
【図１】本発明に係わる情報記録装置の全体構成説明図。
【図２】図１の装置に於けるフィルムカセットの斜視図。
【図３】図２のフィルムカセットに於ける支持部材の拡大図。
【図４】画像転写の原理説明図であり、（ａ）は転写部材、剥離部材及び支持部材が作動位置にある状態を示し、（ｂ）は退避位置にある状態図。
【図５】剥離部材と支持部材との作動位置における配置関係を示す拡大図。
【図６】図１の装置に係わる制御構成図。
【図７】カードプレヒートから２次転写処理時の動作説明図。
【図８】２次転写処理時の動作説明図（図７の続き）。
【図９】カード発行処理に関するフローチャート。
【図１０】カードプレヒートの判断基準とプレヒート内容を示す図。
【図１１】２次転写処理におけるカードと転写フィルムの搬送に関する処理フローを示す図。
【図１２】装置を側方向からみた断面図で、サーミスタの位置を示す図。
【発明を実施するための形態】
【００１１】
以下図示の好適な実施の形態に基づいて本発明を詳述する。図１は本発明に係わる情報記録装置の全体構成の説明図である。図１の装置は各種証明用のＩＤカード、商取引用のクレジットカードなどに画像情報を記録する。このため情報記録部Ａと画像記録部（画像形成部；以下同様）Ｂと、これらにカードを供給するカード供給部Ｃが備えられている。
【００１２】
［カード供給部］
装置ハウジング１にはカード供給部Ｃが設けられ、複数枚のカードを収納するカードカセットで構成されている。図１に示すカードカセット３は複数のカードを立位姿勢で整列して収納し、同図左端から右端にカードを繰り出す。そしてカードカセット３の先端には分離開口７が設けられ、ピックアップローラ１９で最前列のカードから装置内に供給する。
【００１３】
［情報記録部の構成］
上述のカードカセット３から送られたカードＫ（記録媒体；以下同様）は搬入ローラ２２から反転ユニットＦに送られる。反転ユニットＦは装置フレーム（不図示）に旋回動可能に軸受け支持されたユニットフレームと、このフレームに支持された一対、或いは複数のローラ対で構成される。
【００１４】
図示のものは距離を隔てて前後に配置された２つのローラ対２０、２１をユニットフレームに回転自在に軸支持されている。そしてユニットフレームは旋回モータ（パルスモータなど）で所定角度方向に旋回動し、これに取付けられているローラ対は搬送モータで正逆転方向に回転するように構成されている。この駆動機構は図示しないが、１つのパルスモータでユニットフレームの旋回動と、ローラ対の回転をクラッチで切り換えるように構成しても、ユニットフレームの旋回動とローラ対の回転を別駆動に構成してもよい。
【００１５】
従ってカードカセット３に準備されたカードはピックアップローラ１９と分離ローラ（アイドルコロ）９で１枚ずつ分離され下流側の反転ユニットＦに送られる。そして反転ユニットＦはカードをローラ対２０、２１でユニット内に搬入し、ローラ対でニップした状態で所定角度方向に姿勢変更することとなる。
【００１６】
上記反転ユニットＦの旋回方向外周には、磁気記録ユニット２４と、非接触式ＩＣ記録ユニット２３及び接触式ＩＣ記録ユニット２７と、リジェクトスタッカ２５が配置されている。尚図示２８はバーコードリーダであり、例えば後述する画像形成部Ｂで印刷したバーコードを読み取って正誤判別（エラー判別）するためのユニットである。以下これらの記録ユニットをデータ記録ユニットという。
【００１７】
そこで反転ユニットＦで所定の角度方向に姿勢変更されたカードをローラ対２０、２１で記録ユニットに移送すると、カードに磁気的若しくは電気的にデータ入力することが可能となる。またこれらのデータ入力ユニットで記録ミスが生じた場合にはリジェクトスタッカ２５に搬出する。
【００１８】
上記反転ユニットＦの下流側には画像形成部Ｂが設けられ、この画像形成部Ｂにカードカセット３からカードを移送する搬入経路Ｐ１が設けられ、この経路Ｐ１に前述の反転ユニットＦが配置されている。また、搬入経路Ｐ１にはカードを搬送する搬送ローラ（ベルトでも良い）２９、３０が配置され、カード搬送モータＳＭｒ（ステッピングモータ）に連結されている。この搬送ローラ２９、３０、は正逆転切り換え可能に構成され、反転ユニットＦから画像形成部Ｂにカードを搬送するのと同様に画像形成部Ｂからカードを反転ユニットＦに搬送するようになっている。
【００１９】
上記画像形成部Ｂの下流側には収容スタッカ５５にカードを移送する搬出経路Ｐ２が設けられている。搬出経路Ｐ２にはカードを搬送する搬送ローラ（ベルトでも良い）３７、３８が配置され、上述のカード搬送モータＳＭｒ（ステッピングモータ）に連結されている。
【００２０】
尚、搬送ローラ３７と搬送ローラ３８の間にはデカール機構３６が配置され、搬送ローラ３７、３８間に保持されたカード中央部を押圧することによってカール矯正する。このためデカール機構３６は図示しない昇降機構（カムなど）で図１上下方向に位置移動可能に構成されている。
【００２１】
［画像形成部］
画像形成部Ｂは、カードの表裏面に顔写真、文字データなど画像を形成する。この画像形成部Ｂには転写プラテン３１が設けられ、このプラテン上でカード表面に画像形成を行う。図示の装置は、転写フィルム４６（中間転写フィルム）上に画像形成し、このフィルムの画像を転写プラテン３１上でカード面に転写する。このため装置ハウジング１には、インクリボンカセット４２と転写フィルムカセット５０が装備される。
【００２２】
図示のインクリボンカセット４２は、昇華型インクリボンその他の熱転写インクリボン４１を操出ロール４３と巻取ロール４４間に巻装し、装置ハウジング１に着脱可能に装着される。この巻取ロール４４には図示しないワインドモータ（ＤＣモータ）Ｍｒ１が連結されており、繰出ロール４３にも同様にＤＣモータが連結されている。また、装置側にはサーマルヘッド４０と画像形成プラテン４５がインクリボン４１を挟んで対向配置されている。
【００２３】
上記サーマルヘッド４０にはヘッドコントロール用ＩＣ７４ａ（図６参照）が連結され、サーマルヘッド４０を熱制御するようになっている。このヘッドコントロール用ＩＣ７４ａは画像データに従ってサーマルヘッド４０を加熱制御することによってインクリボン４１を後述する転写フィルム４６に画像形成する。このためサーマルヘッド４０の熱制御と同期して巻取ロール４４が回転し、インクリボン４１を所定速度で巻き取るように構成されている。図示ｆ１はサーマルヘッド４０を冷やす為の冷却ファンである。
【００２４】
一方、転写フィルムカセット５０（以下「フィルムカセット」という）も装置ハウジング１に着脱可能に装着される。このフィルムカセット５０に装填された転写フィルム４６がプラテンローラ（画像形成プラテン）４５とインクリボン４１の間を走行して転写フィルム上に画像を形成する。このため転写フィルム４６は供給スプール４７と巻取スプール４８に巻回され、この転写フィルム４６は画像形成プラテン４５上で形成された画像を転写プラテン３１と後述する転写ローラ３３の間に移送する。図示４９は転写フィルム４６の移送ローラであり、この移送ローラの周面にピンチローラ３２ａと３２ｂが配置され、図示しない駆動モータ（ステッピングモータ）に連結されている。また、供給スプール４７はＤＣモータＭｒ２に連結されており、巻取スプール４８も同様に図示しないＤＣモータに連結されている。
【００２５】
また、図示３４ａは転写プラテン３１に転写フィルム４６を案内するガイドコロであり、図示３４ｂは転写プラテン３１を記録媒体から剥離する剥離コロ（剥離部材；以下同様）である。このガイドコロ３４ａと剥離コロ３４ｂは転写プラテン３１を挟んでガイドコロ３４ａが上流側に、剥離コロ３４ｂが下流側に、それぞれフィルムカセット５０に取付けられている。そして、転写処理時のカード搬送方向に対して剥離コロの下流側直後にはカードの転写面側を支持する支持ピン５１（支持部材；以下同様）が設けられている。この支持ピン５１は剥離ピン３４ｂを支持するブラケット６９に設けられており、剥離ピン３４ｂと支持ピン５１は一定の位置関係を保持している。また、ガイドコロ３４ａと剥離コロ３４ｂとの間隔Ｌ１はカードＫの画像形成方向（搬送方向）長さＬｃより短く（Ｌ１＜Ｌｃ）設定されている。
【００２６】
上記転写プラテン３１には、転写フィルム４６を挟んで転写ローラ３３が対向配置されている。この転写ローラ３３は転写フィルム４６上に形成された画像をカードに加熱圧接して転写する。このため転写ローラ３３はヒートローラで構成され、フィルムカセット５０の内側から転写プラテン３１に圧接・離間するように後述する転写部材昇降手段６１が備えられている。転写プラテン３１は搬送ローラ２９、３０、３７及び３８と同一のカード搬送モータＳＭｒ（ステッピングモータ）によって駆動され、転写ローラ３３とカードKと中間転写フィルム４６を挟持した状態でカードK（及び中間転写フィルム４６）を搬送しながら転写処理を行う。尚図示Ｓｅ１はインクリボン４１の位置検出センサであり、図示Ｓｅ２は転写フィルム４６の有無検出センサであり、画像形成部Ｂには装置内に発生した熱を外に出す為のファンｆ２が設けられている。このように、サーマルヘッド４０を用いて中間転写フィルム４６に画像を形成するユニットを１次転写部、転写ローラ３３を用いて、１次転写部で中間転写フィルム４６に形成した画像をカードＫに転写するユニットを２次転写部という。
【００２７】
上記画像形成部Ｂの下流側にはカード収容部Ｄが設けられ、転写プラテン３１から送られたカードを収容スタッカ５５に収容する。この収容スタッカ５５は昇降機構５６と図示しないレベルセンサで、カード収容量に応じて繰り下げ降下するように構成されている。
【００２８】
［フィルムカセットの構成］
上述の転写フィルム４６を装填するフィルムカセット５０について説明する。このフィルムカセット５０は図２に示すように装置ハウジング１とは分離したユニットで構成され、装置ハウジング１に着脱可能に取付けられている。図示しないが図１前面側にフロントカバーが開閉自在に配置され、このフロントカバーを開けた状態で装置フレームにフィルムカセット５０を図２矢印方向に装着するようになっている。
【００２９】
このフィルムカセット５０には、供給スプール４７と巻取スプール４８が着脱可能に装着される。図示５２はスプールの一端を支持する軸受部であり、図示５６はスプールの他端側を支持するカップリング部材である。このカセット側に配置された軸受部５２とカップリング部材５６でスプール端部を支持している。そして供給スプール４７から剥離コロ３４ｂ、を経てガイドコロ３４ａ、３５ｂ、３５ａ、次いで巻取スプール４８に転写フィルム４６が架け渡される。
【００３０】
なお、上記ガイドコロ３５ａ、３５ｂ、３４ａ及び剥離コロ３４ｂ（剥離部材；以下同様）は、図示のものはフィルムカセット５０に取付けたピン部材（従動コロ）で構成してあるが、これは固定ピン（不回転）であっても良い。本装置では、カードに転写フィルム４６上の画像を転写する際は供給スプール４７で転写フィルム４６を巻き取りながら転写を行う。よって、剥離コロ３４ｂは転写フィルム４６の転写時におけるフィルム搬送方向下流側（転写ローラ３３よりも供給スプール４７側）に設けられている。
【００３１】
剥離コロ３４ｂはブラケット６９に固定されており、そのブラケット６９には支持ピン５１が設けられている。転写フィルム４６は剥離コロ３４ｂと支持ピン５１との間を走行するため、転写フィルム４６を交換する際はフィルムカセット５０を装置ハウジング１から抜き取った状態で、支持ピン５１は剥離コロ３４ｂから離間するように構成されている。
【００３２】
図３に示すように、支持ピンの一端５１ａはブラケット６９に着脱可能に嵌合されており、他端５１ｂはブラケット６９の凹部に枢支されているため、支持ピン５１は破線矢印方向に回動可能に構成されている。よって、支持ピン５１はセット位置（実線）と開放位置（破線）に（ピボット）移動可能であり、ユーザはフィルムカセット５０を装置ハウジング１から抜き取り、支持ピン５１を開放位置に移動させた状態で転写フィルム４６を交換し、支持ピン５１をセット位置に戻してからフィルムカセット５０を装置ハウジング１に装填する。
【００３３】
なお、支持ピン５１はセット位置の状態で剥離コロ３４ｂと一定の位置関係を保持する必要がある。図４（ａ）に示すように、カードＫから転写フィルム４６が剥離された後にカード先端が支持ピン５１に支持された状態では、支持ピン５１に対して剥離後の転写フィルム４６の走行方向（図の下方）に力が加わる。支持ピン５１を支持するブラケット６９の軸受け凹部は転写フィルム４６の走行方向に沿った方向に設けられており、支持ピン５１はセット位置において軸受け凹部の底面に支持されるため、カードＫから転写フィルム４６走行方向の力が加わっても、ブラケット６９は支持ピン５１をしっかりと支持することができる。当然、転写フィルム走行方向と交わる方向に支持ピン５１が回動移動してもよいが、支持ピン５１がカードＫを支持したときに剥離コロ３４ｂとの位置関係が変わらないようセット位置を保持する必要がある。
【００３４】
このように架け渡された転写フィルム４６には装置側に配置された移送ローラ４９とピンチローラ３２ａ、３２ｂが係合される。そして供給スプール４７と巻取スプール４８に連結される駆動回転軸（不図示）と、上記移送ローラ４９は同一速度でフィルムを走行するように駆動回転する。
【００３５】
ここで、２次転写部の詳細な構成を図４に従って説明する。２次転写部には、転写ローラ（ヒートローラ）３３、転写プラテン３１、転写フィルム４６をガイドするガイドコロ３４ａ、同様に転写フィルム４６をガイドして、カードＫから転写フィルム４６を剥離する剥離コロ３４ｂと剥離コロ３４ｂの下流でカードＫの転写面側を支持する支持ピン５１が配置されている。また、転写ローラ３３と転写プラテン３１との間にカードＫを搬送する搬送ローラ３０と支持ピン５１を通過したカードをニップして下流側へ搬送する搬送ローラ３７が設けられている。なお、搬送ローラ３０と搬送ローラ３７との間の距離は、転写処理以外の通常搬送時にカード搬送ができるよう、カードＫの搬送方向の長さＬｃよりも短い距離に設定されている。
【００３６】
転写ローラ３３と剥離コロ３４ｂ及び支持ピン５１とはそれぞれ図４（ａ）に示す作動位置と図（ｂ）に示す退避位置に移動可能に構成されている。剥離コロ３４ｂは作動位置において、搬送経路Ｐ１に沿って搬送されるカードＫの表面に対して転写フィルム４６を介して接するように設定されている。よって、図５に示すように、剥離コロ３４ｂのカード接触点は、転写ローラ３３の作動位置におけるカード接触点と、搬送ローラ３７がカード転写面と接触するカード接触点を結ぶ直線Ｌｎ１（転写ローラ３３のカード接触点と搬送ローラ３７のカード接触点とを通る第１接線）よりも、少なくとも転写プラテン３１側（カード側）にオフセットしており、直線Ｌｎ１よりも転写ローラ３３側に配置されることはない。なお、本実施形態では、剥離コロ３４ｂのカード接触点は直線Ｌｎ１よりも１．５２ｍｍ転写プラテン側にオフセットしている。なお、剥離コロ３４ｂのカード接触点が直線Ｌｎ１よりも転写ローラ３３側でなければよく、直線Ｌｎ１の線上に設定してもよい。
【００３７】
よって、カードに転写された転写フィルム４６は、転写ローラ３３から剥離コロ３４ｂまではカードに接着しており、カードが剥離コロ３４ｂに到達したときに転写フィルム４６がカード表面から剥離される。なお、剥離された転写フィルム４６はカードと直交する方向（図の下方向）に巻き取られるため、カードと剥離後の転写フィルム４６は剥離コロ３４ｂを介して略９０度の関係が保たれる（剥離角度βが略９０度）。
【００３８】
剥離コロ３４ｂを通過したカードは、図４（ａ）に示すようにカード先端が転写フィルム４６の走行方向に引っ張られて下方に姿勢が変化することなく、支持ピン５１に支持される。この支持ピン５１のカード接触点は転写ローラ３３の作動位置におけるカード接触点と、剥離コロ３４ｂの作動位置におけるカード接触点を結ぶ直線Ｌｎ２（転写ローラ３３のカード接触点と剥離コロ３４ｂのカード接触点とを通る第２接線）よりも、転写プラテン３１側（カード側）にオフセットしており、直線Ｌｎ２よりも転写ローラ３３側に配置されることはない。なお、本実施形態では、支持ピン５１のカード接触点は直線Ｌｎ２よりも０．３５ｍｍ転写プラテン側にオフセットしている。なお、支持ピン５１のカード接触点は直線Ｌｎ２よりも転写ローラ３３側でなければよく、直線Ｌｎ２の線上に設定してもよい。
【００３９】
支持ピン５１のカード接触点が直線Ｌｎ２よりも下方に配置されると、従来のようにカード先端が転写フィルム４６の走行方向に引っ張られてしまうため、少なくとも支持ピン５１のカード接触点は直線Ｌｎ２上か、直線Ｌｎ２よりも転写プラテン３１側に配置する必要がある。しかし、あまりにも転写プラテン３１側にオフセットし過ぎると、支持ピン５１と剥離コロ３４ｂとの間の段差が大きくなってしまい、剥離コロ３４ｂがカードＫから離れてしまうため、転写フィルム４６の剥離位置が不安定になる問題が生じるおそれがあるため、扱う記録媒体の種類等から適宜設定することが望ましい。
【００４０】
さらに、剥離コロ３４ｂから支持ピン５１までの距離が大きいと、カード先端が支持されない状態が長くなってしまうため、剥離コロ３４ｂの直後に支持ピン５１を配置することが望ましい。よって、本実施形態では、剥離コロ３４ｂの直径が５ｍｍ、支持ピン５１の直径が３ｍｍ、剥離コロ３４ｂの中心と支持ピン５１の中心との間の距離が５ｍｍとしているため、剥離コロ３４ｂと支持ピン５１との間の隙間は１ｍｍである。これにより、支持ピン５１を剥離コロ３４ｂよりも細くすることで、支持ピン５１を剥離コロ３４ｂに近づけることができる。しかし、細くしすぎるとカードＫを支持する強度が保てないため、ある程度の強度は残しておいた上で支持ピン５１を細くすることが望ましい。
【００４１】
また、前述の通り、剥離コロ３４ｂと支持ピン５１は同一部材のブラケット６９に支持されているため、剥離コロ３４ｂと支持ピン５１との高さ関係の位置決めが容易である。例えば、支持ピン５１を装置本体側に設けてもよいが、その場合、装置本体側の支持ピン５１とフィルムカセット５０側の剥離コロ３４ｂをそれぞれ作動位置と退避位置に移動する必要があり、さらに双方が作動位置において上述の配置関係を維持しなければならないため、高い部品加工精度が必要になる。
【００４２】
なお、支持ピン５１によってカード先端が若干持ち上げられるため、支持ピン５１より下流の搬送ローラ３７が離れた位置に配置されていると、カード先端が搬送ローラ３７にニップされなくなってしまう。よって、カード先端が上側の搬送ローラ３７の下半分領域（図４（ａ）の搬送ローラ３７の斜線部）に入る位置に搬送ローラ３７を配置している。
【００４３】
また、転写プラテン３１に対して転写ローラ３３を圧接及び離間させる。後述する制御手段７０は、カード上に画像転写するときには転写ローラ３３を作動位置（Ｐｎ１）に移動して圧接し、画像形成後（カード後端が転写ローラ３３を通過した後）は退避位置（Ｐｎ２）に移動して離間させる。これによって、カード後端が転写ローラ３３を通過した後に転写ローラ(ヒートローラ）３３に転写フィルム４６が接触して、転写フィルム４６が転写ローラ３３の熱により変形するのを防止する。
【００４４】
また、制御手段７０は、カード後端が支持ピン５１を通過するタイミングで、剥離コロ３４ｂ及び支持ピン５１を作動位置（Ｐｎ３）から退避位置（Ｐｎ４）に移動させる。ここで、剥離コロ３４ｂ及び支持ピン５１を退避位置に移動させているため、両面印刷を行う際に、搬送パス上流側の反転ユニットＦに向けてカードをスイッチバック搬送させた時にカードが支持ピン５１や剥離コロ３４ｂに衝突することを防止している。このような制御によって転写フィルムに過剰の熱が作用して変形する恐れも、また転写フィルム４６を剥離する際に転写不良が発生することもない。
【００４５】
そこで転写ローラ３３と剥離コロ３４及び支持ピン５１を昇降させるために、不図示の転写部材昇降手段と、剥離部材昇降手段（移動手段）を制御手段で制御する。この制御は、カード先端が転写プラテン３１に到達する見込み時間で転写ローラ３３を退避位置（Ｐｎ２）から作動位置（Ｐｎ１）に位置移動する。また、これと前後して（例えばプリントコマンド信号、上流側のジョブ終了信号など）剥離コロ３４ｂ及び支持ピン５１を退避位置（Ｐｎ４）から作動位置（Ｐｎ３）に移動する。
【００４６】
この状態でプラテン位置に所定速度で移動するカードに、その先端から後端に画像を転写する。カード後端が転写ローラ３３を通過した見込み時間で転写ローラ３３を退避位置（Ｐｎ２）に移動させる。すると転写フィルム４６はガイドコロ３４ａと剥離コロ３４ｂに支持され、その一部はカード表面に打擲した状態となる。そしてカードが排出方向に移動するのに伴って転写フィルム４６はカード表面から徐々に剥離される。その際、カード先端は支持ピン５１に支持される。
【００４７】
この画像転写の過程で転写フィルルム４６はカード表面と一定の剥離角度βでカード先端から後端まで同一角度方向にフィルムを引き剥がすこととなる。従ってカードに転写された画像に斑が生ずることがない。
【００４８】
本実施形態では、図４（ａ）に示す通り、カードＫの先端は剥離コロ３４ｂと支持ピン５１に乗り上げ、さらに搬送ローラ３７の側面（図４（ａ）の斜線部分）に当たりながら搬送ローラ対３７に突入する。このとき、カードＫをニップしている転写ローラ３３及び転写プラテン３１と搬送ローラ対３０でスリップ（ローラの空回り）が起こる場合がある。そうすると、実際のカードＫの搬送量が少なくなるので、カードＫの搬送量に対して転写ローラ３３よりも上流側の転写フィルム４６の搬送量が多くなってしまい（カードＫが進まないのに転写フィルム４６だけが送り出される）、転写フィルム４６の弛み量が約１ｍｍ多くなってしまう。
【００４９】
そこで本実施形態では、カード搬送量の減少するタイミングと減少量を予測・想定し、左記タイミングの直前または直後に、左記減少量分カード搬送速度を速める又は、移送ローラ４９による転写フィルム送り出し速度を遅く（フィルム送り出し量を少なく）することで、転写フィルム４６の弛み量を一定範囲内に保ち、転写品位の安定性を向上させている。
【００５０】
また、本実施形態では、画像転写部による転写処理中の転写フィルム４６の送り出し量は移送ローラ４９によって管理される。転写処理中のカードＫ（及び転写フィルム４６）の搬送量よりも移送ローラ４９によって送り出される転写フィルム４６の搬送量が少ない場合、転写ローラ３３と転写プラテン３１に挟持されたカードのニップ点に対して転写フィルム４６のバックテンションが過剰に付加されてしまい、カードＫに転写される画像が伸びてしまう。そこで、転写処理中はカードＫの搬送量よりも転写フィルム４６の送り出し量を多くしてカード後端側の転写フィルム４６を弛ませる。なお、カードＫの搬送量は搬送ローラ３０、３７及び転写プラテン３１に接続されるカード搬送モータＳＭｒ（ステッピングモータ）によって制御され、転写フィルム４６の送り出し量は移送ローラ４９に接続される駆動モータ（ステッピングモータ）によって制御される。これにより、転写フィルム４６のバックテンションにより画像が伸びることがない。
【００５１】
しかし、転写処理が終了して、カード後端の剥離を行う際にカード後端より上流側の転写フィルム４６が弛んでいると、カード後端が剥離コロ３４ｂを通過するときに転写フィルム４６が剥離されずに、剥離位置が剥離コロ３４ｂよりも下流側にずれてしまい、剥離角度が異なってしまうため、カード後端側に剥離カスが発生してしまう。
【００５２】
よって、本実施形態では、カード後端が転写ローラ３３を通過してから剥離コロ３４ｂに到達するまでの間に、搬送ローラ対３７、３８よるカードＫの搬送量を多くして、カードＫ後端よりも移送ローラ４９側の転写フィルム４６の弛みを取る。なお、カード後端が転写ローラ３３を通過してすぐに転写フィルム４６のバックテンションをかけると、カードＫと転写フィルム４６との接着面の温度が高いため、カード後端が剥離コロ３４ｂに到達する前に転写フィルム４６が剥離してしまい、早期剥離のため剥離カスが発生してしまう。
【００５３】
以上から、本実施形態のカードＫの搬送速度と転写フィルム４６の搬送速度（移送ローラ４９による送り出し速度）は以下の関係となる。まず、カードＫの供給から転写開始位置まで（図７（ｂ）より前の状態）の搬送速度は５０ｍｍ／秒。その後、転写開始からカード先端が搬送ローラ対３７の手前５ｍｍ（第１弛み除去開始位置）に到達するまで（図７（ｃ）から図８（ｄ）までの状態）のカードＫの搬送速度は２５ｍｍ／秒で転写フィルム４６の送り出し速度は２５．５ｍｍ／秒。その後、カード先端が第１弛み除去開始位置を通過してからカード後端が転写ローラ３３を通過するまで（図８（ｄ）から図８（ｅ）までの状態）のカードＫの搬送速度は２５．３６ｍｍ／秒で転写フィルム４６の送り出し速度は２５．５ｍｍ／秒。その後カード後端が転写ローラ３３を通過してから転写終了まで（図８（ｅ）から図８（ｆ）までの状態）のカードＫの搬送速度は変わらず２５．３６ｍｍ／秒で転写フィルム４６の送り出し速度は２３．４ｍｍ／秒となるように、搬送ローラ３０、３７及び転写プラテン３１を駆動するカード搬送モータＳＭｒ、移送ローラ４９を駆動する駆動モータ、及び転写時に転写フィルム４６を巻き取るＤＣモータＭｒ２を制御する。
【００５４】
これにより、転写開始からカード先端が搬送ローラ対３７に到達するまでは、転写ローラ３３よりも上流側の転写フィルム４６の弛み量が適切（約２ｍｍの弛み）となり、その後カード先端が搬送ローラ対３７に突入することにより転写フィルム４６の弛み量が増えてもカードＫの搬送速度を速めることで転写フィルム４６が過度に弛むことがなく、さらにカード後端が転写ローラ３３を通過した後に転写フィルム４６の送り出し量を少なくすることでカード後端の剥離時に転写フィルム４６の弛みを取ることができ、良好な転写及び剥離を行うことができる。本実施形態では、カードＫの搬送速度を速めるタイミングを、カード先端が搬送ローラ対３７の５ｍｍ手前の位置に設定したため、転写処理を開始したときのカード搬送速度（２５ｍｍ／秒）から大きく変更することなく転写フィルム４６の弛みを除去でき、画像転写に影響が少ない。カード先端が搬送ローラ対３７を通過した後にカードＫの搬送速度を早くしようとした場合、転写フィルム４６の弛みを除去するにはさらにカードＫの搬送速度を早くしなければならない。このとき、カード搬送速度を速くしすぎて画像転写の際に転写ローラ３３から十分な熱を加えることができない場合は、移送ローラ４９による転写フィルム４６の送り出し速度を遅く（送り出し量を少なく）してもよい。当然、画像転写に影響がない場合は、カードＫの搬送速度を速くしてもよい。
【００５５】
なお、カード先端が搬送ローラ対３７に突入することによるカード搬送量の減少については、環境温度や連続印刷による搬送ローラ３７の径の変動や、カード厚さによって変わってくる。つまり、環境温度が高かったり連続印刷により機内温度が上昇したりすることにより搬送ローラ３７の径が大きくなると、搬送ローラ対間のギャップが縮まる。よって、カード先端は通常時よりも搬送ローラ対３７の間を通過し難くなり（カード先端の衝突の衝撃が大きい）、スリップ量が多くなることで転写フィルム４６の弛み量が多くなる。また、カードＫの厚さが厚くなることで同様にカード先端が搬送ローラ対３７に衝突しやすくなるため、転写フィルム４６の弛み量が多くなる。よって、装置にカードＫの厚さ（カード種類）情報を入力する入力部を設けるか、上位装置から入力することでカード厚さ情報を取得し、その情報に基づいて転写フィルム４６の目論見の弛み量を設定し、それに応じてカード搬送速度と転写フィルム送出し速度を算出（またはテーブルで速度情報を格納）してもよい。また、サーミスタＴで機内温度を検出し、その結果に基づいて搬送ローラ対３７の径を算出（または径情報を格納）し、それに応じてカード搬送速度と転写フィルム送出し速度を算出（またはテーブルで速度情報を格納）してもよい。また、連続発行枚数をカウントして、所定枚数以上連続発行を行った場合は搬送ローラ対３７の径が大きくなったと判断し、それに応じてカード搬送速度と転写フィルム送出し速度を算出（またはテーブルで速度情報を格納）してもよい。なお、上記を組み合わせてもよい。
【００５６】
よって、このような場合は目論見の転写フィルム弛み量を多くして、カード搬送速度をさらに速くするか、転写フィルム４６の送り出し速度をさらに遅くすることで適切な搬送速度となるように設定する。
【００５７】
なお、本実施形態では、搬送ローラ対３７はデカール機構３６の一部を構成しており、カードＫのデカール処理を行う際は搬送ローラ対３７のローラ間が若干離間するように構成されている。よって、搬送ローラ対３７のカードＫに対するニップ圧は、転写ローラ３３及び転写プラテン３１によるニップ圧に比べて弱く設定されている。カード後端が転写ローラ３３を通過した後、カードＫは搬送ローラ対３７によってのみ搬送されるため、ニップ圧が弱い搬送ローラ対３７とカードＫとがスリップを起こす可能性がある。よって、カード後端が転写ローラ３３を通過した後に、搬送ローラ対３７を駆動するカード搬送モータＳＭｒ（ステッピングモータ）の駆動量によってカードＫの搬送量を管理すると、目論見の搬送量に対して実際の搬送量が少なくなってしまい、正しい転写終了位置にカードＫを搬送できない場合がある。
【００５８】
そこで、本実施形態では、転写ローラ３３から剥離コロ３４ｂまでの間はカードＫと転写フィルム４６とが張り付いて同時に搬送されることに着目し、カード後端が転写ローラ３３を通過してから剥離コロ３４ｂを通過するまでの間、制御部Ｈは転写フィルム４６の搬送量（巻取り量）をカード搬送量として管理（カウント）している。具体的には、２次転写の際に転写フィルム４６を巻き取る供給スプール４７を駆動するＤＣモータＭｒ２の回転軸に設けられたエンコーダにより、制御部Ｈは、ＤＣモータＭｒ２の回転量を取得し、その時の供給スプール４７の径と比較しながら転写フィルム４６の搬送量を計算している。つまり、転写ローラ３３から剥離コロ３４ｂまでの距離を７４ｍｍとしたときに、制御部Ｈは、２次転写時の供給スプール４７の径情報からＤＣモータＭｒ２を何回転させると転写フィルム４６が７４ｍｍ搬送されるか把握できるので、ＤＣモータＭｒ２がその回転量に達したことにより転写フィルム４６が７４ｍｍ搬送されたと判断する。なお、カードＫの搬送量は、カードセンサＳｅ３をカード先端が通過してからのカード搬送モータＳＭｒの駆動量をカウントすることで算出している。
【００５９】
制御部Ｈは、２次転写開始からカード後端が転写ローラ３３に到達するまでの間と、カード後端が剥離コロ３４ｂを通過した後については、カードＫの搬送量を転写プラテン３１、搬送ローラ２９、３０、３７及び３８を駆動するカード搬送モータＳＭｒの駆動量によって管理（カウント）している。よって制御部Ｈは、一回の２次転写中でカードＫの搬送量の管理をカード搬送モータＳＭｒ（図７（ｃ）から図８（ｅ）に示す、転写開始からカード後端が転写ローラ３３に到達するまで）→ＤＣモータＭｒ２（図８（ｅ）から図８（ｆ）に示す、カード後端が転写ローラ３３を通過してから剥離コロ３４ｂを通過するまで）→カード搬送モータＳＭｒ（カード後端が剥離コロ３４ｂを通過してからカード搬出または裏面転写のための逆搬送）となるように切り替えている。
【００６０】
なお、転写開始（カード頭出し含む）からカード後端が転写ローラ３３に到達するまでの間は、カード先端がセンサＳｅ３を通過してからのカード搬送モータＳＭｒの回転量を検出することによってカードＫの搬送量を管理している。また、カード搬送量の管理をカード搬送モータＳＭｒからＤＣモータＭｒ２に切り替えるタイミングについては、カード後端が転写ローラ３３を通過したタイミングに限らない。
【００６１】
２次転写を開始する際はカードＫと転写フィルム４６とを転写ローラ３３と転写プラテン３１とでニップする。そのとき、転写ローラ３３よりも下流側の転写フィルム４６は若干弛みが生じるため、実際に転写開始する時はＤＣモータＭｒ２を先に駆動してからカード搬送モータＳＭｒを駆動してカードＫと転写フィルム４６の搬送を開始する。よって、転写開始時のカード搬送量はカードＫを搬送するためのカード搬送モータＳＭｒで管理した方がよい。その後はカードＫと転写フィルム４６とは１対１で同時に搬送されるため、カード搬送が開始した以降の任意のタイミングでカード搬送量の管理をＤＣモータＭｒ２に切り替えてもよい。
【００６２】
［制御構成］
図６に本発明に係わる制御構成について説明する。制御部Ｈは、例えば制御ＣＰＵ７０で構成し、このＣＰＵ７０にはＲＯＭ７１とＲＡＭ７２が備えられている。そして制御ＣＰＵ７０には、データ入力制御部７３と、画像形成制御部７４と、カード搬送制御部７５が構成されている。そしてカード搬送制御部７５は搬入経路Ｐ１と搬出経路Ｐ２に配置されているカード搬送手段（図１に示す搬送ローラ対）を制御するように図示しない駆動モータのドライブ回路にコマンド信号を送信する。このカード搬送制御部７５は反転ユニットＦの旋回モータのドライブ回路にコマンド信号を送信する。また、サーミスタＴによって環境温度を検出し、カード搬送制御部７５でプレヒートのためのカード搬送制御を行う。
【００６３】
上記カード搬送制御部７５には、センサＳｅ１〜Ｓｅ１０の状態信号を受信するようにそれぞれのセンサと電気的に接続されている。これと共にデータ入力制御部７３からジョブ信号を受信するように接続されている。
【００６４】
上記データ入力制御部７３は、磁気記録部Ａ１に内蔵されているデータＲ／Ｗ用のＩＣ７３ｘに入力データの送受信を制御するコマンド信号を送信し、同様にＩＣ記録部Ａ２のデータＲ／Ｗ用のＩＣ７３ｙにコマンド信号を送信するように構成されている。上記画像形成制御部７４は、画像形成部Ｂでカードの表裏面への画像形成を制御する。
【００６５】
この画像形成制御は、カード搬送制御７５でコントロールされるカードの搬送に応じてこのカード表面に転写プラテン３１で画像転写する。このため画像形成制御部７４は、転写フィルルム６４５に画像形成プラテン４５で画像形成する、インクリボンワインドモータ制御部７４ｂと、転写フィルルムワインドモータ制御部７４ｃと、シフトモータＭS制御部７４ｄを備えている。
【００６６】
そして上記ＲＡＭ７２には、データ入力部（磁気・ＩＣ記録部）でカード上にデータ入力する処理時間が、例えばデータテーブルに記憶されている。また、カード搬送制御部７５には監視手段Ｈ１が設けられ、いずれも制御ＣＰＵ７０の制御プログラムに組み込まれている。この監視手段Ｈ１は、上記センサＳｅ１〜Ｓｅ１０の状態信号と、データ入力制御部７３のジョブ信号を受信して、装置内に存在するカードの搬送状態を監視するように構成されている。
【００６７】
ここで、本実施形態のカード印刷装置の全体の動作をカードＫの動きに沿って説明する（図９）。まず、パソコン等の上位装置から印刷データ及び情報記録データを受取ると、カードＫがカード供給部Ｃから一枚ずつ反転ユニットＦに供給される（Ｓｔ１）。このとき、ＣＰＵ７０は転写ローラ３３を発熱させ、約１８５度の状態で温度をキープする。そして、情報記録データがある場合は、カードＫは反転ユニットＦから情報記録部Ａに搬送され、情報記録処理が行われる（Ｓｔ２）。情報記録データがない場合は、後述のプレヒート処理に移る。
【００６８】
この時点で画像形成部Ｂの１次転写部において、転写フィルム４６とインクリボン４１とをサーマルヘッド４０及びプラテンローラ４５で圧接して加熱することにより、転写フィルム４６に対して画像が形成される。その際、インクリボン４１の各色を転写フィルム４６の画像形成領域に重ねて印刷するため、転写フィルム４６は供給スプール４７、巻取スプール４８及び移送ローラ４９によって往復搬送される。
【００６９】
情報記録処理が終了したカードＫは１次転写処理中にカード先端のプレヒート処理が行われる。まず、サーミスタＴによって環境温度を検出する（Ｓｔ３）。これによりカードがどの程度冷えており、どの程度プレヒートしなければならないか図１０に基づいて判断する。なお、転写後のカードＫから転写フィルム４６を剥離するための供給スプール４７による巻取トルク（剥離テンション）を決定するためにも環境温度を参照する。その後、これから転写するカード面が表面か裏面かを判断する（Ｓｔ４）。これは、同じ環境温度でも表面転写時と裏面転写時とでカード温度が異なり、その結果、カードＫと転写フィルム４６との接着面との温度が異なるため、このような判断を行う。よって、表面転写の場合は、表面転写用のプレヒート量及び剥離テンションを決定し（Ｓｔ５）、裏面転写の場合は裏面転写用のプレヒート量及び剥離テンションを決定する（Ｓｔ６）。本実施形態では、表面転写でも環境温度が高い（常温以上）場合や裏面転写時はプレヒート処理を行う必要がないため、プレヒート量は０（プレヒート時間０秒）に設定される。
【００７０】
次に、決定されたプレヒート量が０か否かを判断し（Ｓｔ７）、プレヒート処理が必要ない場合は、搬送ローラ２９、３０からなるカード待機部で１次転写処理が終了するまでカードＫを待機させる。プレヒート処理が必要と判断された場合、検出した環境温度に応じてプレヒート時間とプレヒート領域をＲＯＭ７１からロードし、カードをプレヒート位置へ搬送する（Ｓｔ８）。
【００７１】
環境温度が低温の場合はカード先端のみプレヒートを行えばよいので、プレヒート中はカードＫを移動させる必要はないが、極低温の場合はプレヒート領域が広いため、カードＫをプレヒート領域内で位置移動させ、必要に応じて往復搬送させる（Ｓｔ９）。その後、プレヒート時間に到達したか判断し（Ｓｔ１０）、プレヒート時間に到達したらカードＫを２次転写処理のための転写開始位置に頭出しして（Ｓｔ１１）プレヒート処理を終了する。
【００７２】
そして、１次転写が終了したか否かを判断し（Ｓｔ１２）、終了していたら二次転写処理を行う（Ｓｔ１３）。このとき、転写後のカードＫから転写フィルム４６を剥離する際は、Ｓｔ５またはＳｔ６で決定された剥離テンションで行われる。なお、カードＫと転写フィルム４６との頭出しは転写フィルム４６の頭出しをした後にカードＫの頭出しをする方が望ましいため、プレヒート処理が早く終わった場合は一度転写フィルム４６の頭出しをした後にカードＫの頭出しを行う。２次転写処理終了後、裏面転写が必要か否かを判断し（Ｓｔ１４）、裏面転写が必要な場合はＳｔ６に戻る。既に裏面転写まで転写済みの場合や、表面のみ転写して終了する場合はカードを排出して（Ｓｔ１５）、カード発行処理を終了する。
【００７３】
ここで、プレヒート処理から２次転写処理の動作を図７（ａ）〜（ｃ）と図８（ｄ）〜（ｆ）に従って説明する。図７（ａ）は１次転写処理中にカードＫをプレヒートしている状態を示す。このとき、転写ローラ３３と剥離コロ３４ｂ及び支持ピン５１は退避位置（Ｐｎ２、Ｐｎ４）に位置している。このとき、転写ローラ３３の開閉カバー６５は閉位置にいるが、開閉カバー６５には開口６５ｃが設けられているためカードＫのプレヒート領域に転写ローラ３３の熱を伝えることができる。なお、転写フィルム４６は１次転写処理で往復搬送されているため、転写フィルム４６の一部分のみが過剰に温められることはない。
【００７４】
１次転写処理が終了すると、転写フィルム４６とカードＫはそれぞれ２次転写の開始位置に頭出しされる（図７（ｂ））。このときも転写ローラ３３と剥離コロ３４ｂ及び支持ピン５１は退避位置をキープしている。なお、転写フィルム４６の頭出しは供給スプール４７に連結されているＤＣモータＭｒ２を回転制御することで行い、カードＫの頭出しはカード先端がセンサＳｅ３を通過してからのカード搬送モータＳＭｒ（ステッピングモータ）の回転制御により行う。ＤＣモータは停止時にオーバーラン量が一定ではないため、先に転写フィルム４６の頭出しをした後にＤＣモータのオーバーラン量を加味した距離分ステッピングモータを駆動してカードＫの頭出しを行う。これにより、転写フィルム４６とカードＫの頭出し位置が正確となる。なお、ＤＣモータＭｒ２のオーバーラン量は、供給スプール４７の回転量（ＤＣモータＭｒ２の回転量）を検出するエンコーダ（不図示）によって検出して算出される。
【００７５】
転写フィルム４６とカードＫの頭出しが終了すると、制御ＣＰＵ７０は転写ローラ３３を退避位置（Ｐｎ２）から作動位置（Ｐｎ１）に移動させ、剥離コロ３４ｂ及び支持ピン５１を退避位置（Ｐｎ４）から作動位置（Ｐｎ３）に移動させる。すると、図７（ｃ）の状態となり、画像転写処理が開始される。このとき、カードＫの搬送量（搬送速度）の管理はカード搬送モータＳＭｒ（ステッピングモータ）によって行われる。
【００７６】
画像転写処理が進み、カードＫの先端が剥離コロ３４ｂに到達すると、カードＫから転写フィルム４６が剥離される。カード先端は転写フィルム４６の走行方向に引っ張られる力が働くが、剥離コロ３４ｂ直後に配置された支持ピン５１に支持されるため、カードの姿勢が安定する（図８（ｄ））。画像転写処理中は転写フィルム４６のカード後端よりも上流側は弛ませる必要があるため、カード搬送ローラ３０、３７及び転写プラテン３１と移送ローラ４９の回転量を制御し、カードＫの搬送量よりも転写フィルム４６の送り出し量を多くしてバックテンションがかからないようにする。ここで、カード先端が搬送ローラ対３７に突入するため、さらに転写フィルム４６に弛みが生じる。よって、ここからカード搬送速度を早くするか、転写フィルム送り出し速度を遅くして、転写フィルム４６の過度の弛みを解消していく。
【００７７】
次に、制御ＣＰＵ７０はカード後端が転写ローラ３３を通過したタイミング（搬送ローラ３０等を駆動するカード搬送モータＳＭｒの回転数又は予め設定されたタイマー時間から計算）で、転写ローラ３３は図８（ｄ）の状態である作動位置（Ｐｎ１）から同（ｅ）の退避位置（Ｐｎ２）に移動させる。このとき剥離コロ３４ｂ及び支持ピン５１は転写フィルム４６をカードから剥離させる作動状態（Ｐｎ３）に保持されている。このとき、カード後端は転写ローラ３３及び転写プラテン３１のニップから解除されているため、カードＫはニップ圧の弱い搬送ローラ対３７、３８にのみニップされている。よって、制御ＣＰＵ７０は、カード搬送量の管理を、供給スプール４７を駆動するＤＣモータＭｒ２に切り替える。このとき、移送ローラ４９による転写フィルム送り出し量を少なく（送り出し速度を遅く）することにより、図８（ｆ）の状態になるまでに転写フィルム４６の弛みを解消する。
【００７８】
その後、制御ＣＰＵ７０はカード後端が少なくとも剥離コロ３４ｂを通過したタイミング（供給スプール４７の径情報とＤＣモータＭｒ２の回転数又は予め設定されたタイマー時間から計算）で、再び剥離コロ３４ｂ及び支持ピン５１は作動位置（Ｐｎ３）から退避位置（Ｐｎ４）に移動する（図８（ｆ））。このとき転写ローラ３３は退避位置（Ｐｎ２）に保持されている。
【００７９】
その後、デカール機構３６でカードの反りを矯正し、カード両面に印刷する場合はカードＫを反転ユニットＦに向けて搬送してカードＫを反転し、カード裏面にも同様の転写処理を施し、片面印刷で終了する場合はそのままカード収容部ＤにカードＫを排出して一連の動作を終了する。なお、カード裏面に連続して転写処理を行う際は、カード表面に転写処理を行ったときにカードが温められているため、プレヒート処理は行わない。このときのカード搬送量は再びカード搬送モータＳＭｒの駆動量によって管理される。
【００８０】
ここで、２次転写処理におけるカードＫと転写フィルム４６の搬送についての処理フローを説明する（図１１）。まず２次転写処理が開始されると、カード搬送ローラ３０、３７及び転写プラテン３１を駆動するカード搬送モータＳＭｒ（ステッピングモータ）、移送ローラ４９を駆動するステッピングモータと、供給スプール４７と巻取スプール４８を駆動するそれぞれのＤＣモータを起動する（Ｓｔ１６）。その後転写処理が進み、転写フィルム４６の第１弛み除去開始位置（カード先端が搬送ローラ対３７の手前５ｍｍに到達した位置。これは、カード先端がセンサＳｅ３を通過してからのステッピングモータの駆動量で検出する。）に達したか判断し（Ｓｔ１７）、到達したらカード搬送モータＳＭｒ及びＤＣモータＭｒ２の駆動量を多く（又は移送ローラの駆動モータの駆動量を少なく）して転写フィルム４６の過度の弛みを取る（Ｓｔ１８）。その後、転写フィルム４６の第２弛み除去開始位置（カード後端が転写ローラ３３を通過した位置。）に到達したか判断し（Ｓｔ１９）、到達したらカード搬送モータＳＭｒ及びＤＣモータＭｒ２の駆動量を多く（又は移送ローラの駆動モータの駆動量を少なく）してカード後端が剥離コロ３４ｂに到達するまでに転写フィルム４６の弛みを解消する（Ｓｔ２０）。その後転写フィルム４６の剥離が終了し２次転写終了位置にカードＫが到達したかを判断し（Ｓｔ２１）、到達したらそれぞれのモータを停止して（Ｓｔ２２）、２次転写処理を終了する。
【００８１】
＜効果等＞
本実施形態の転写装置では、カードＫの搬送量が減少するタイミングと減少量を予測・想定し、このタイミングの直前または直後に、カード搬送速度を移送ローラ４９による転写フィルム４６の送り出し速度よりも相対的に速めることにより、カード後端側（転写ローラ３３よりも転写方向上流側）の転写フィルム４６が必要以上に弛むことがない。よって、転写処理時に転写フィルム４６が皺になることがなく転写品位が向上する。また、カード後端の剥離時に転写フィルム４６が弛んでいると目論見の転写終了位置（剥離が終了する位置）でカードＫから転写フィルム４６が剥離しきれていない場合があるが、本実施形態の転写装置では、転写終了時にはカード後端側の転写フィルム４６の弛みを解消するようにカード搬送速度および転写フィルム送り出し速度を制御しているため、剥離品位も向上する。
【００８２】
また、本実施形態の転写装置では、カードＫへの転写処理が開始されてから所定量カードＫを搬送するまでは、カード搬送モータＳＭｒの駆動量に基づいてカードＫの搬送量をカウントし、転写処理が終了するまでの間に転写処理中に転写フィルム４６を巻き取るためのＤＣモータＭｒ２の駆動量に基づいてカードＫの搬送量をカウントするように切り替えるため、カード後端が転写ローラ３３を通過した後に搬送ローラ対３７がカードＫに対してスリップ（空回り）しても目論見のカード搬送量と実際のカード搬送量の差が小さい。よって、目論見の転写終了位置においてカード後端が剥離コロ３４ｂに到達していないという問題を防ぐことができる。
【００８３】
なお、本実施形態では、カード搬送量のカウントを切り替えるタイミングを、転写開始してからカード後端が転写ローラ３３を通過する前とする態様を示したが、カード後端が転写ローラ３３を通過した後でも転写処理が終了（剥離完了）するまでに、ＤＣモータＭｒ２に基づいたカウントに切り替えることによって、目論見のカード搬送量と実際のカード搬送量の差を小さくすることができる効果を得ることができる。
【００８４】
また、カード搬送量を算出するにあたって、カード先端がセンサＳｅ３を通過してからの搬送ローラ２９、３０、３７及び３８と転写プラテン３１を駆動するカード搬送モータＳＭｒ（ステッピングモータ）の駆動量をカウントすることによってカード搬送量を算出する態様を示したが、モータの駆動量ではなく、搬送ローラの軸にエンコーダを設けて、そのクロック数を検出することによりカード搬送量を算出してもよい。同様に、転写フィルム４６の搬送量もＤＣモータＭｒ２の駆動量ではなく、供給スプール４７の軸にエンコーダを設けて、そのクロック数を検出することにより転写フィルム４６の搬送量を算出し、それをカード搬送量に置き換えるようにしてもよい。
【符号の説明】
【００８５】
Ａ          情報記録部
Ｂ          画像記録部（画像形成部）
Ｃ          カード供給部
Ｄ          カード収容部
Ｋ          カード（記録媒体）
３０        搬送ローラ
３１        転写プラテン
３３        転写ローラ（加熱部材）
３４ａ      ガイドコロ
３４ｂ      剥離コロ（剥離部材）
３５ａ      ガイドコロ
３５ｂ      ガイドコロ
３６        デカール機構
３７        搬送ローラ
３８        搬送ローラ
４０        サーマルヘッド
４１        インクリボン
４２        インクリボンカセット
４３        操出ロール
４４        巻取ロール
４５        画像形成プラテン（プラテンローラ）
４６        転写フィルム（中間転写フィルム）
４７        供給スプール
４８        巻取スプール
４９        移送ローラ
５０        フィルムカセット
５０Ｓ      嵌合溝
５１        支持ピン（支持部材）
５２        軸受部
５５        収容スタッカ
Ｐｎ１      転写ローラ作動位置
Ｐｎ２      転写ローラ退避位置
Ｐｎ３      剥離部材作動位置
Ｐｎ４      剥離部材退避位置
ＭＳ        シフトモータ
Ｔ          サーミスタ
ＳＭｒ      カード搬送モータ（記録媒体搬送手段の一部）
Ｍｒ２      ＤＣモータ（転写フィルム搬送手段の一部）
【図１】
0006490390.tif 000002
【図２】
0006490390.tif 000003
【図３】
0006490390.tif 000004
【図４】
0006490390.tif 000005
【図５】
0006490390.tif 000006
【図６】
0006490390.tif 000007
【図７】
0006490390.tif 000008
【図８】
0006490390.tif 000009
【図９】
0006490390.tif 000010
【図１０】
0006490390.tif 000011
【図１１】
0006490390.tif 000012
【図１２】
0006490390.tif 000013